(57)【要約】【課題】カップトレイの取り付け、取り外しを簡単にするとともに、カップトレイの未使用時に前面板の外観が見苦しくない飲料飲料抽出装置のカップトレイ取付構造を提供することを目的とする。【解決手段】一時的に前面板４を開けて清掃や点検作業を行う場合、カップトレイ６を取り外し、前面板４の開放角度を大きくして清掃や点検作業が容易に行われるとともに、取出口ピース１４の複数の第２の爪１４ａをカップ取出口５の複数の第１の嵌合突部１３に嵌合して取出口ピース１４がカップ取出口５に容易に取り付けられ前面板４の外観が見苦しくならない。【選択図】          図２
2004242903.tif 000002
【特許請求の範囲】
【請求項１】
前面に開口部を有する飲料抽出装置本体と、前記開口部に開閉自在に取付けられカップ取出口を有する前面板と、前記カップ取出口下端部内側に設けられた複数の第１の嵌合突部と、裏面に複数の第１の爪部を有するカップトレイと、裏面に複数の第２の爪部を有する取出口ピースとを備え、前記カップトレイ使用時は前記カップトレイを前記カップ取出口に前記複数の第１の爪部を前記複数の第１の嵌合突部に嵌合して取付けるとともに、前記カップトレイ未使用時は前記取出口ピースを前記カップ取出口に前記複数の第２の爪部を前記複数の第１の嵌合突部に嵌合して取付けるようにしたことを特徴とする飲料抽出装置のカップトレイ取付構造。
【請求項２】
カップトレイの裏面に複数の第２の嵌合突部を設け、カップトレイの使用時は取出口ピースの複数の第２の爪部をカップトレイの複数の第２の嵌合突部に嵌合して取出口ピースをカップトレイの裏面に収納するようにしたことを特徴とする請求項１記載の飲料抽出装置のカップトレイ取付構造。
【発明の詳細な説明】
【０００１】
本発明は、飲料飲料抽出装置のカップトレイ取付構造に関する。
【０００２】
【従来技術】
従来、飲料飲料抽出装置のカップトレイ取付構造は、図８および図９に示されるように例えば、置台を兼ねた置台本体１上に給茶機等の飲料飲料抽出装置２が載置され、この飲料飲料抽出装置２の前面には飲料飲料抽出装置２の開口部３に対し開閉自在の前面板４が取り付けられている。そして、この前面板４のカップ取出口５の下端部には抽出されたお茶を収容するカツプが一時的に載置されるカップトレイ６が設けられている。また、飲料飲料抽出装置２内部には粉末状のお茶の原料を収納する原料容器７、原料容器７から送出される原料を導く原料シュート８、この原料とお湯とを混合してカップステーション１０に導くロート１１、こぼれたお茶を排出する排水皿１２等が適宜配置されている。
【０００３】
【発明が解決しようとする課題】
しかし、このような飲料飲料抽出装置２のカップトレイ６は、最初から前面板４と一体成形されていて取り外せない構造の場合、原料容器７、原料シュート８、カップステーション１０、ロート１１等の清掃や故障時の点検等、一時的に前面板４を開けて作業を行う場合、設置場所や使用状況によってはカップトレイ６が前面板４より前方に突出しているため壁等にカップトレイ６が当たり前面板４の開放角度が少なく作業がやり難い問題点があった。
【０００４】
そこで、このような問題点を解消させるためにカップトレイ６を前面板４に対しネジ止めして取り付け、取り外しが可能な構造として作業性を改善したものが在在していた。しかし、このような構造の場合、カップトレイ６を前面板４に取り付けるために取付ネジ用の穴を開け、直接あるいはガイド用の部品を用いてネジで固定する構造であるため、カップトレイ６を取り外すと、ネジ穴やガイドが丸見えになり前面板４の外観が見苦しくなり品位に欠ける問題点があった。
【０００５】
本発明は、このような点に鑑みなされたもので、カップトレイの取り付け、取り外しを簡単にするとともに、カップトレイの未使用時に前面板の外観が見苦しくない飲料飲料抽出装置のカップトレイ取付構造を提供することを目的とする。
【０００６】
【課題を解決するための手段】
請求項１記載の飲料飲料抽出装置のカップトレイ取付構造は、前面に開口部を有する飲料抽出装置本体と、前記開口部に開閉自在に取付けられカップ取出口を有する前面板と、前記カップ取出口下端部内側に設けられた複数の第１の嵌合突部と、裏面に複数の第１の爪部を有するカップトレイと、裏面に複数の第２の爪部を有する取出口ピースとを備え、前記カップトレイ使用時は前記カップトレイを前記カップ取出口に前記複数の第１の爪部を前記複数の第１の嵌合突部に嵌合して取付けるとともに、前記カップトレイ未使用時は前記取出口ピースを前記カップ取出口に前記複数の第２の爪部を前記複数の第１の嵌合突部に嵌合して取付けるようにしたものである。
【０００７】
そして、この構成により、一時的に前面板を開けて清掃や点検作業を行う場合、カップトレイを取り外し、前面板の開放角度を大きくして清掃や点検作業が容易に行われるとともに、取出口ピースの複数の第２の爪部をカップ取出口の複数の第１の嵌合突部に嵌合して取出口ピースがカップ取出口に容易に取り付けられ前面板の外観が見苦しくならない。
【０００８】
請求項２記載の飲料飲料抽出装置のカップトレイ取付構造は、カップトレイの裏面に複数の第２の嵌合突部を設け、カップトレイの使用時は取出口ピースの複数の第２の爪部をカップトレイの複数の第２の嵌合突部に嵌合して取出口ピースをカップトレイの裏面に収納するようにしたものである。
【０００９】
そして、この構成により、取出口ピースをカップトレイの裏面に収納して取出口ピースの紛失が防止される。
【００１０】
【発明の実施の形態】
以下、本発明の一実施の形態を図面を参照して説明する。
【００１１】
【実施例】
飲料飲料抽出装置の外観構成および前面板開放時の構造は図８および図９と同一構造であり説明は省略する。
【００１２】
図１に示されるように、前面板４のカップ取出口５下端部内側には複数の第１の嵌合突起１３が等間隔に設けられている。６はカップトレイで、このカップトレイ６はカップ載置部６ａと先端部に設けられた取付片６ｂとからなり、カップ載置部６ａの裏面側は図２に示されるように下方を開放した箱状になっており、この箱状部には複数の第１の嵌合突起１３の間隔と同一になるように複数の補強リブ６ｃが等間隔に設けられ、この複数の補強リブ６ｃの一部が第２の嵌合突起６ｄとなっている。そして、この嵌合突起６ｄの箱状部との間に係合溝６ｅが設けられている。また、取付片６ｂの裏面側には断面形状がコ字状に形成された複数の第１の爪６ｆが複数の第１の嵌合突起１３の間隔と同一になるように等間隔に設けられている。
【００１３】
１４は取出口ピースで、この取出口ピース１４は横長の板状に形成され、裏面側には第１の爪６ｆと同一形状に形成された複数の第２の爪１４ａが複数の第１の嵌合突起１３の間隔と同一になるように等間隔に設けられているとともに、折曲片１４ｂが設けられている。
【００１４】
次に、本実施の形態の作用を説明する。
【００１５】
図８に示されるように置台本体１上に給茶機等の飲料抽出装置２が載置され、この状態で厨房等に設置される。そして、この設置場所に制約がありカップトレイが突出して充分に前面板４が開放できず清掃や点検作業に支障をきたすような場合について説明する。
【００１６】
まず、カップトレイ６を前面板４のカップ取出口５から取り外す。次に、取出口ピース１４を前面板４のカップ取出口５に取り付ける。すなわち、取出口ピース１４の複数の第２の爪１４ａのコ字状部分の弾力性を利用してカップ取出口５の複数の第１の嵌合突部１３に図３に示される状態から図４に示されるように嵌合して強固に取付ける。したがって、取出口ピース１４はネジ等を使用せず容易にカップ取出口５に取り付けることができる。また、前面板４のカップ取出口５に取出口ピース１４が取り付けられたことにより前面板４のネジ穴等が露出せず外観が見苦しくなることがない。そして、この取出口ピース１４が取り付けられた状態で前面板４が充分に開放されカップトレイ６の出っ張りがなく清掃や点検等の作業が容易に行うことができる。
【００１７】
次に、給茶機等の飲料抽出装置２の設置場所に制約がなく充分に前面板４の開放角度が確保されているような場合について説明する。
【００１８】
カップトレイ６を前面板４のカップ取出口５に取り付ける。すなわち、図５示されるようにカップトレイ６の複数の第１の爪６ｆをカップ取出口５の複数の第１の嵌合突部１３に第１の爪６ｆのコ字状部分の弾力性を利用して嵌合し強固に取付ける。また、取出口ピース１４はカップトレイ６裏面の裏面に収納される。すなわち、図６および図７に示されるように取出口ピース１４は取出口ピース１４の複数の第２の爪１４ａのコ字状部分の弾力性を利用してカップトレイ６裏面の複数の第２の嵌合突起６ｄに嵌合されるとともに、折曲片１４ｂが係合溝６ｅに嵌合し強固に取付ける。これにより、取出口ピース１４の紛失が防止される。
【００１９】
なお、カップ取出口５に設けた複数の第１の嵌合突起１３とカップトレイ６裏面に設けた第２の嵌合突起６ｄと、カップトレイ６裏面に設けた複数の第１の爪６ｆと取出口ピース１４の裏面に設けた複数の第２の爪１４ａとの嵌合突起と爪との関係を逆にしても同様な効果が得られる。
【００２０】
【発明の効果】
請求項１記載の飲料抽出装置のカップトレイ取付構造によれば、一時的に前面板を開けて清掃や点検作業を行う場合、カップトレイを取り外し、前面板の開放角度を大きくして清掃や点検作業が容易に行われるとともに、取出口ピースの複数の第２の爪部をカップ取出口の複数の第１の嵌合突部に嵌合して取出口ピースがカップ取出口に容易に取り付けられ前面板の外観が見苦しくならない。
【００２１】
請求項２記載の飲料抽出装置のカップトレイ取付構造によれば、取出口ピースをカップトレイの裏面に収納して取出口ピースの紛失が防止される。
【図面の簡単な説明】
【図１】本発明の一実施形態を示す飲料抽出装置のカップトレイ取付構造の分解斜視図である。
【図２】同上、カップトレイと取出口ピースの分解斜視図である。
【図３】同上、取出口ピースを前面板に取り付ける過程を示す分解斜視図である。
【図４】同上、取出口ピースが前面板に取り付けられた状態を示す断面図である。
【図５】同上、カップトレイが前面板に取り付けられた状態を示す断面図である。
【図６】同上、カップトレイの裏面に取出口ピースが収納された状態を示す斜視図である。
【図７】同上、カップトレイの裏面に取出口ピースが収納された状態を示する断面図である。
【図８】従来および本発明の飲料抽出装置の外観を示す斜視図である。
【図９】従来および本発明の飲料抽出装置の前面板を開放した状態を示す外観斜視図である。
【符号の説明】
１    置台本体
２    飲料抽出装置
３    開口部
４    前面板
５    カップ取出口
６    カップトレイ
６ａ    カップ載置部
６ｂ    取付片
６ｃ    補強リブ
６ｄ    第２の嵌合突起
６ｅ    係合溝
６ｆ    第１の爪
１３    第１の嵌合突部
１４    取出口ピース
１４ａ  第２の爪
【図１】
2004242903.tif 000003
【図２】
2004242903.tif 000004
【図３】
2004242903.tif 000005
【図４】
2004242903.tif 000006
【図５】
2004242903.tif 000007
【図６】
2004242903.tif 000008
【図７】
2004242903.tif 000009
【図８】
2004242903.tif 000010
【図９】
2004242903.tif 000011